(57)【要約】  注入可能な製品で連続して充填されるパッケージ材料のウェブ（４）のチューブ（３）から、複数の密封されたパッケージ（２）を形成するためのパッケージ装置（１）について記載されている。パッケージ装置は、殺菌気体を含有する内部環境（１１）を外部環境（１２）から分離する、隔離室（１０）を含む。パッケージ装置は、使用時にチューブ（３）内に配置され、チューブ（３）を使用時に第１の空間（４９）と第２の空間（５０）に分割するように設計される、区切り要素（４８）を更に含む。パッケージ装置（１）は、加圧された殺菌気体を用いて第２の空間（５０）を加圧するための加圧デバイス（４７）も含む。区切り要素（４８）は、隔離室（１０）内に配置される。【選択図】  図２
2022500324.tif 000002
【特許請求の範囲】
【請求項１】
注入可能な製品で充填された複数の密封されたパッケージ（２）を形成するためのパッケージ装置（１）であって、
−前進経路（Ｐ）に沿ってパッケージ材料のウェブ（４）を前進させるように適合された、搬送デバイス（７）と、
−殺菌気体を含有する内部環境（１１）を外部環境（１２）から分離する、隔離室（１０）と、
−前記隔離室（１０）内に少なくとも一部が配置され、前記使用時に前進するパッケージ材料のウェブ（４）からチューブ（３）を形成して長手方向に密封するように適合される、チューブ形成及び密封デバイス（１３）であって、前記搬送デバイス（７）は、チューブ前進経路（Ｑ）に沿って前記チューブ（３）を前進させるようにも適合される、チューブ形成及び密封デバイス（１３）と、
−使用時に前記チューブ（３）内に配置され、前記チューブ（３）を前記内部環境（１１）と流体連結する第１の空間（４９）と、前記チューブ前進経路（Ｑ）に沿って前記第１の空間（４９）の下流に配置される第２の空間（５０）に分割するように設計された、区切り要素（４８）と、
−使用時に注入可能な製品を前記第２の空間（５０）の中に向けるように適合された、充填デバイス（１４）と、
−前記第１の空間（４９）内の気体圧力より高い気体圧力を前記第２の空間（５０）内で獲得するために、使用時に殺菌気体の流れを前記チューブの前記第２の空間（５０）の中に向けるように構成された、加圧デバイス（４７）と、
−前記使用時に前進するチューブ（３）から前記パッケージ（２）を少なくとも形成して横方向に密封するように適合された、パッケージ形成ユニット（１５）とを含み、
前記区切り要素（４８）は、前記隔離室（１０）内に配置される、パッケージ装置（１）。
【請求項２】
前記隔離室（１０）は、前記チューブ前進経路（Ｑ）に沿って前記チューブ（３）が前進中に、前記チューブ（３）が前記隔離室（１０）から出ることができるための出口開口（４３）を含み、
前記区切り要素（４８）は、前記チューブ前進経路（Ｑ）に沿って前記出口開口（４３）の上流に配置される、請求項１に記載のパッケージ装置。
【請求項３】
前記隔離室（１０）は、前記使用時に前進するチューブ（３）と協働する前記出口開口（４３）を使用時に密封するように構成された、密封アセンブリ（４６）を含む、請求項２に記載のパッケージ装置。
【請求項４】
前記チューブ形成及び密封デバイス（１３）は、長手方向密封部（２３）を形成するために、前記パッケージ材料のウェブ（４）の第１の横方向縁部（１９、２０）と第２の横方向縁部（２０、１０）を重ねることにより、前記パッケージ材料のウェブ（４）を前記チューブ（３）に徐々に折り畳むように構成された、チューブ形成ユニット（２２）を含み、
前記密封部（２３）は、初期基準から前記チューブ前進経路（Ｑ）に沿って下流方向に延在し、
前記区切り要素（４８）は、前記初期基準の領域、及び／又は前記チューブ前進経路（Ｑ）に沿って前記初期基準の下流に配置される、請求項１〜３のいずれか一項に記載のパッケージ装置。
【請求項５】
前記区切り要素（４８）は、前記第２の空間（５０）を前記第１の空間（４９）と流体連結させるため、及び使用時に前記第２の空間（５０）から前記第１の空間（４９）への殺菌気体の漏れ流れを可能にするために、使用時に少なくとも１つの流体チャネル（５１）を提供するように設計される、請求項１〜４のいずれか一項に記載のパッケージ装置。
【請求項６】
前記流体チャネル（５１）は環形状を有する、請求項５に記載のパッケージ装置。
【請求項７】
使用時に前記流体チャネル（５１）は、前記区切り要素（４８）の外周部（５２）、及び前記使用時に前進するチューブ（３）の前記内表面によって区切られる、請求項５又は６に記載のパッケージ装置。
【請求項８】
前記加圧デバイス（４７）は、前記第２の空間（５０）内の気体圧力を実質的に一定に維持することにより、殺菌気体の流れを変えることができるように適合される、請求項１〜７のいずれか一項に記載のパッケージ装置。
【請求項９】
前記加圧デバイス（４７）は、周囲圧力より５ｋＰａ〜４０ｋＰａ、特に１０ｋＰａ〜３０ｋＰａ高い範囲に前記第２の空間（５０）内の前記気体圧力を制御するように構成される、請求項１〜８のいずれか一項に記載のパッケージ装置。
【請求項１０】
前記加圧デバイス（４７）は、前記隔離室（１０）の前記内部環境（１１）に流体連結され、使用時に前記内部環境（１１）内に存在する前記殺菌気体の少なくとも一部を前記チューブ（３）の前記第２の空間（５０）の中に向けるように適合される、請求項１〜９のいずれか一項に記載のパッケージ装置。
【請求項１１】
前記加圧デバイス（４７）は、
−少なくとも１つのポンプデバイス（５３）と、
−前記パッケージ材料のウェブの前進速度、及び／又は前記チューブの前進速度、及び／又は形成される前記パッケージの型、及び／又は形状、及び／又は形成される前記パッケージの容積の少なくとも１つの関数として、前記ポンプデバイス（４７）の前記作動パラメータを制御するように適合された、少なくとも１つの制御ユニット（５４）とを含む、請求項１０に記載のパッケージ装置。
【請求項１２】
前記ポンプデバイス（５３）は、回転機械、具体的には圧縮機であり、前記制御ユニット（５４）は、少なくとも前記パッケージ材料のウェブの前進速度、又は前記チューブの前進速度、又は形成される前記パッケージの型若しくは形状、又は形成される前記パッケージの容積の関数として、前記回転機械の回転速度を制御するように適合される、請求項１１に記載のパッケージ装置。
【請求項１３】
前記充填デバイス（１４）は、使用時に前記チューブ（３）内に少なくとも一部が延在し、使用時に前記注入可能な製品を前記第２の空間（５０）の中に向けるように適合される、少なくとも充填パイプ（３１）を含み、
前記加圧デバイス（４７）は、前記殺菌気体を前記内部環境（１１）から前記第２の空間（５０）の中に向けるために、前記内部環境（１１）及び前記第２の空間（５０）と少なくとも間接的に流体連結する、気体供給パイプ（５５）を含む、請求項１〜１２のいずれか一項に記載のパッケージ装置。
【請求項１４】
前記気体供給パイプ（５５）の少なくとも一部及び前記充填パイプ（３１）の少なくとも一部は、互いに同軸に配置される、請求項１３に記載のパッケージ装置。
【請求項１５】
前記区切り要素（４８）は、前記充填パイプ（３１）及び／又は前記気体供給チューブ（５５）の少なくとも一部に連結される、請求項１３又は１４に記載のパッケージ装置。
【請求項１６】
前記区切り要素（４８）は、前記使用時に前進するチューブ（３）に平行な方向に沿って動くように適合される、請求項１〜１５のいずれか一項に記載のパッケージ装置。
【発明の詳細な説明】
【技術分野】
【０００１】
本発明は、密封されたパッケージを形成するため、詳細には注入可能な製品で充填された密封されたパッケージを形成するためのパッケージ装置に関する。
【背景技術】
【０００２】
公知のように、果汁、ＵＨＴ（超高温熱処理）牛乳、葡萄酒、トマトソース、その他などの多くの液体又は注入可能な食品製品が、殺菌されたパッケージ材料から作られたパッケージに入れて販売されている。
【０００３】
典型的な例は、Ｔｅｔｒａ  Ｂｒｉｋ  Ａｓｅｐｔｉｃ（登録商標）として公知の液体又は注入可能な食品製品用の平行六面体形状のパッケージであり、Ｔｅｔｒａ  Ｂｒｉｋ  Ａｓｅｐｔｉｃ（登録商標）は、積層されたストリップパッケージ材料を密封して折り畳むことによって作成される。パッケージ材料は、熱融着プラスチック材料、例えばポリエチレンの層で両側を覆われた基層、例えば紙を含む多層構造を有する。ＵＨＴ牛乳などの長期保存製品用の無菌パッケージの場合、パッケージ材料は酸素遮断材料、例えばアルミニウム箔の層も含み、アルミニウム箔は熱融着プラスチック材料の層の上に重ね合わせられ、次に最終的に食品製品に接触するパッケージの内面を形成する熱融着プラスチック材料の別の層で覆われる。
【０００４】
この種のパッケージは、一般に全自動パッケージ装置で生産され、全自動パッケージ装置は、例えば化学的殺菌（例えば過酸化水素水などの化学的殺菌剤を付与することにより）又は物理的殺菌を用いて（例えば電子ビームを用いて）、パッケージ材料のウェブを殺菌するためにパッケージ装置の殺菌ユニットを通してパッケージ材料のウェブを前進させる。次いでパッケージ材料の殺菌されたウェブは、隔離室（閉鎖された殺菌環境）内に維持されて前進され、チューブを形成するために長手方向に折り畳まれて密封され、チューブは垂直前進方向に沿って更に送り込まれる。
【０００５】
形成作動を完了するために、チューブは、殺菌された又は殺菌処理された注入可能な食品製品で連続して充填され、横方向に密封され、その後垂直前進方向に沿って前進する間に、パッケージ装置のパッケージ形成ユニット内で等しく間隔を空けた横方向の断面に沿って切断される。
【０００６】
ピローパッケージはパッケージ装置内でそのようにして獲得され、各ピローパッケージは長手方向の密封帯並びに１対の上部及び底部の横方向密封帯を有する。
【０００７】
更に典型的なパッケージ装置は、前進経路に沿ってパッケージ材料のウェブを前進させるための搬送デバイス、パッケージ材料のウェブを殺菌するための殺菌ユニット、隔離室内に一部が配置され、パッケージ材料の前進するウェブからチューブを形成し、チューブの長手方向継ぎ目部に沿ってチューブを長手方向に密封するように適合されるチューブ形成デバイス、チューブを注入可能な製品で連続して充填するために、使用時にチューブと同軸にチューブ内に配置される充填パイプ、並びにパッケージを形状し、横方向に密封し、横方向に切断することにより、パッケージ材料のチューブから単一パッケージを生成するように適合されたパッケージ形成ユニットを含む。
【０００８】
パッケージ形成ユニットは、複数の形成、密封及び切断アセンブリを含み、各々は、使用時にチューブの前進経路に平行なそれぞれの作動経路に沿って前進する。形成、密封、及び切断アセンブリが前進する間、これらはヒット位置でチューブと相互作用を開始し、単一パッケージを獲得するようにチューブを形状し、横方向に密封し、横方向に切断するように前進するチューブに続く。
【０００９】
単一パッケージを正確に形成するために、チューブ内の注入可能な製品によって提供された静水圧が十分に高いことが必要であり、そうでないと不規則な形状のパッケージが獲得される。
【００１０】
典型的には、必要な静水圧を提供するためにチューブ内に存在する注入可能な製品の列は、ヒット位置（すなわちそれぞれの形成、密封及び切断アセンブリが前進するチューブに接触を開始するステーション）から上方に少なくとも５００ｍｍ延在する。場合によっては、注入可能な製品の列は、ヒット位置から上方に最高２０００ｍｍまで延在する。厳密な延在は、少なくともパッケージの型及び生産速度に依存することが当技術分野では公知である。
【００１１】
実際には、これは、チューブ内に必要な注入可能な製品の列を提供するように、チューブが延在を有さなければならないことを意味する。
【００１２】
従って、パッケージ装置の隔離室の垂直方向の延在は、チューブ内に必要な基準の注入可能な製品を提供するためにむしろ高くしなければならない。
【００１３】
必要な静水圧は、パッケージ材料のウェブの前進速度、及びそれに応じたチューブの前進速度などの生産パラメータに依存し（換言すると、これはパッケージ装置の処理速度に依存し）、パッケージの型及びパッケージの容積に依存する。このことは、何らかの生産パラメータが変わるべき場合に、一人又は複数の操作者がそれに応じてパッケージ装置を修正する必要があることを意味する。必要な修正に長時間を要するため、生産費用を増加させる。
【発明の概要】
【発明が解決しようとする課題】
【００１４】
この分野ではパッケージ装置に改善が必要であると感じられている。特に、上記の欠点の少なくとも１つを克服するように。
【課題を解決するための手段】
【００１５】
従って簡単で低コストの手法で改善されたパッケージ装置を提供することが本発明の一目的である。
【００１６】
本発明によれば、請求項１に記載のパッケージ装置が提供される。
【００１７】
本発明によるパッケージ装置の更に好都合な実施形態は、従属請求項に明記されている。
【００１８】
本発明の非制限的実施形態は、添付図面を参照して例を介して記載される。
【図面の簡単な説明】
【００１９】
【図１】分かりやすくするために部品を取り除いた、本発明によるパッケージ装置の概略図である。
【図２】分かりやすくするために部品を取り除いた、図１のパッケージ装置の詳細の拡大図である。
【図３】図１のパッケージ装置の構成要素の特徴的な動作曲線を示す。
【発明を実施するための形態】
【００２０】
番号１は、パッケージ材料のウェブ４のチューブ３から注入可能な食品製品、具体的には低温殺菌牛乳又は果汁などの殺菌された及び／又は殺菌処理された注入可能な食品製品の密封されたパッケージ２を生産するためのパッケージ装置を全体として示す。具体的には使用時に、チューブ３は、長手方向軸Ｌ、具体的には垂直配向を有する軸Ｌに沿って延在する。
【００２１】
パッケージ材料のウェブ４は多層構造（図示せず）を有し、少なくとも１層の繊維材料、例えば紙又は板紙層など、及び少なくとも２層の熱融着プラスチック材料、例えば互いの間に繊維材料の層を挟むポリエチレンを含む。これらの２層の熱融着プラスチック材料の一方が、最終的に注入可能な製品に接触するパッケージ２の内面を画定する。
【００２２】
必須ではないが好ましくは、ウェブ４は、気体及び光遮断材料の層、例えばアルミニウム箔又はエチレンビニルアルコール（ＥＶＯＨ）フィルムも含み、具体的には熱融着プラスチック材料の層の１つと繊維材料の層との間に配置される。必須ではないが好ましくは、ウェブ４は、気体及び光遮断材料の層と繊維材料の層との間に挟まれる熱融着プラスチック材料の更なる層も含む。
【００２３】
パッケージ装置１によって獲得された典型的なパッケージ２は、密封された長手方向継ぎ目部５及び１対の横方向密封部６、具体的には１対の上部及び底部の横方向密封部６（すなわちパッケージ２の上部における１つの横方向密封部６、及びパッケージ２の下部における別の横方向密封部６）を含む。
【００２４】
図１を具体的に参照すると、パッケージ装置１は、
−送達ステーション８から、使用時にウェブ４がチューブ３に形成される形成ステーション９にウェブ前進経路Ｐに沿って（そのようなものと公知の手法で）ウェブ４を前進させるように構成された搬送デバイス７と、
−所与の気体圧力で殺菌気体、具体的には殺菌空気を含有し（含み）、外部環境１２から分離される内部環境１１、具体的には内部殺菌環境を有する隔離室１０と、
−隔離室１０内に少なくとも一部が配置され、使用時に前進するウェブ４からチューブ３を、具体的にはチューブ形成ステーション９で、形成して長手方向に密封するように適合される、チューブ形成及び密封デバイス１３と、
−注入可能な製品でチューブ３を連続して充填するための充填デバイス１４と、
−パッケージ２を形成するために使用時に前進するチューブ３を形状し、横方向に密封し、必須ではないが好ましくは横方向に切断するように適合された、パッケージ形成ユニット１５とを含む。
【００２５】
必須ではないが好ましくは、パッケージ装置１は、使用時に前進するウェブ４を殺菌ステーションで殺菌するように適合された殺菌ユニット（示されておらず、そのように公知である）も含み、具体的には殺菌ステーションは、経路Ｐに沿って形成ステーション９の上流に配置される。
【００２６】
必須ではないが好ましくは、搬送デバイス７は、チューブ前進経路Ｑに沿うように公知の手法で、具体的には形成ステーション９からパッケージ形成ユニット１５を少なくとも部分的に通って、チューブ３及び具体的にはチューブ３のあらゆる中間体も前進させるように構成される。
【００２７】
具体的にはチューブ３の中間体の言い回しでは、ウェブ４のあらゆる構成は、チューブ構造を獲得する前、及びチューブ形成デバイス１３によりウェブ４の折り畳みを開始した後を意味する。換言すると、チューブ３の中間体は、具体的にはウェブ４の第１の縁部１６と、第１の縁部１６と反対側のウェブ４の第２の縁部１７を互いに重ねることにより、チューブ３を獲得するようにウェブ４を徐々に折り畳むことによってもたらされる。
【００２８】
必須ではないが好ましくは、チューブ形成及び密封デバイス１３は、少なくとも一部が、好ましくは全部が隔離室１０内に、具体的にはチューブ形成ステーション９に配置され、チューブ３の長手方向の継ぎ目部２３を形成するために、具体的には第１の縁部１６と第２の縁部１７を互いに重ねることによって、前進するウェブ４を次第にチューブ３に折り畳むように適合される（構成される）、チューブ形成ユニット２２を含む。具体的には、チューブ形成ユニット２２は、長手方向軸Ｍに沿って延在し、具体的には垂直配向を有する。
【００２９】
具体的には、継ぎ目部２３は、初期基準（具体的に示されていない）から経路Ｑに沿って下方に延在する。換言すると、初期基準は、第１の縁部１６及び第２の縁部１７が継ぎ目部２３を形成するために互いに重ねることを開始する位置にある。
【００３０】
具体的には、経路Ｑの少なくとも一部は、隔離室１０内（具体的には内部環境１１内）にある。
【００３１】
より詳細には、軸Ｌ及び軸Ｍは互いに平行である。尚より詳細には、チューブ形成ユニット２２は、使用時にチューブ３の軸Ｌを画定する。
【００３２】
必須ではないが好ましくは、チューブ形成ユニット２２は、具体的には隔離室１０内に（具体的には内部環境１１内に）配置され、具体的には継ぎ目部２３を長手方向に形成するために第１の縁部１６と第２の縁部１７を互いに重ねることによって、互いに協働してウェブ４をチューブ３に徐々に折り畳むように適合される、少なくとも２つの形成リングアセンブリ２４及び２５を含む。
【００３３】
示された具体的な場合では、形成リングアセンブリ２５は、経路Ｑに沿って形成リングアセンブリ２４の下流に配置される。
【００３４】
具体的には、形成リングアセンブリ２４及び２５の各々は、実質的にそれぞれの平面内にあり、具体的には各平面は軸Ｍに垂直であり、尚より具体的には各々の平面は実質的に水平配向を有する。
【００３５】
尚より具体的には、形成リングアセンブリ２４及び２５は、互いから離間されて互いに平行である（すなわちそれぞれの平面は互いに平行であり、互いから離間される）。
【００３６】
必須ではないが好ましくは、各平面は軸Ｍ及び軸Ｌに垂直である。
【００３７】
更に形成リングアセンブリ２４及び２５は、互いに同軸に配置され、チューブ形成ユニット２２の長手方向軸Ｍを画定する。
【００３８】
より具体的には、各形成リングアセンブリ２４及び２５は、それぞれの支持リング及びそれぞれの支持リング上に装着された複数のそれぞれの曲げローラを含む。具体的には、それぞれの曲げローラは、ウェブ４、及び／又はチューブ３、及び／又はチューブ３を形成するためのチューブ３のあらゆる中間体と相互作用するように構成される。尚より具体的には、それぞれの曲げローラは、使用時にそれを通ってチューブ３及び／又はチューブ３の中間体が前進するそれぞれの孔を画定する。
【００３９】
必須ではないが好ましくは、チューブ形成及び密封デバイス１３は、継ぎ目部２３に沿ってチューブ３を長手方向に密封するように適合された（構成された）密封ユニットも含む。換言すると、使用時にチューブ形成ユニット２２によって形成された継ぎ目部２３は、密封ユニットの活性化によって密封される。
【００４０】
必須ではないが好ましくは、密封ユニットは、少なくとも一部が隔離室１０内に位置付けられる。
【００４１】
単一パッケージ２のそれぞれの長手方向に密封された継ぎ目部５は、チューブ３を切断することによってもたらされることに留意しなければならない。換言すると、単一パッケージ２のそれぞれの継ぎ目部５は、チューブ３の継ぎ目部２３のそれぞれの部分である。
【００４２】
更に密封ユニットは、隔離室１０内に配置され、チューブ３を、具体的には継ぎ目部２３を長手方向に密封するために、チューブ３に、具体的には継ぎ目部２３に熱エネルギーを伝達するように適合される（構成される）密封頭部２９を含む。密封頭部２９は、あらゆる型であることが可能である。具体的には、密封頭部２９は、誘導加熱を用いることにより、及び／又は加熱気体のストリームにより、及び／又は超音波を用いることにより、及び／又はレーザ加熱により、及び／又はあらゆる他の手段により作動する種類からなることが可能である。
【００４３】
必須ではないが好ましくは、密封ユニットは、チューブ３上に、具体的には実質的に重なる第１の縁部１６及び第２の縁部１７上に、尚より具体的には継ぎ目部２３に沿ってチューブ３を確実に長手方向に密封するように継ぎ目部２３上に、機械力を掛けるように適合された加圧アセンブリ（一部のみが示されている）も含む。
【００４４】
具体的には、加圧アセンブリは、継ぎ目部２３上にその両側から機械力を掛けるように適合された、少なくとも相互作用ローラ及び反相互作用ローラ（図示せず）を含む。具体的には使用時に、継ぎ目部２３は、相互作用ローラと反相互作用ローラとの間に挟まれる。
【００４５】
必須ではないが好ましくは、相互作用ローラは、形成リングアセンブリ２５によって支持される。
【００４６】
より詳細には、密封頭部２９は、形成リングアセンブリ２４と２５との間に実質的に配置される（すなわち密封頭部２９は、形成リングアセンブリ２４と２５のそれぞれの平面の間に配置される）。
【００４７】
図１及び２を具体的に参照すると、充填デバイス１４は、パッケージ化される注入可能な製品、具体的には殺菌された及び／又は殺菌処理された注入可能な食品製品を保存する／提供するように適合される、注入可能な製品の保存タンク（示されておらず、そのように公知である）と流体連結する充填パイプ３１を含む。
【００４８】
具体的には、充填パイプ３１は、使用時に注入可能な製品をチューブ３の中に向けるように適合される（構成される）。
【００４９】
必須ではないが好ましくは、充填パイプ３１は、注入可能な製品をチューブ３の中に連続して送り込むために、使用時にチューブ３内に少なくとも一部が置かれる。
【００５０】
具体的には、充填パイプ３１は、チューブ３内でチューブ３に平行に、すなわち軸Ｍ及び軸Ｌに平行に延在する、充填パイプ３１の線形主パイプ部３２を含む。
【００５１】
必須ではないが好ましくは、主パイプ部３２は、互いに取り外し可能に結合された上部３３及び下部３４を含む。更に詳細には、下部３４は出口開口を含み、注入可能な製品は使用時に出口開口からチューブ３の中に送り込まれる。
【００５２】
図２に示されたように好ましい非限定実施形態によれば、パッケージ形成ユニット１５は、少なくとも１つのそれぞれの作動アセンブリ３５（１つのみが示されている）及び少なくとも１つの反作動アセンブリ３６（１つのみが示されている）の複数の対と、
−具体的には、それぞれの搬送経路に沿ってそれぞれの作動アセンブリ３５及びそれぞれの反作動アセンブリ３６の対を前進させるように適合された搬送デバイス（示されておらず、そのように公知である）とを含む。
【００５３】
より詳細には、各作動アセンブリ３５は、チューブ３からそれぞれのパッケージ２を形成するために、使用時にそれぞれの反作動アセンブリ３６のそれぞれの対と協働するように適合される。具体的には、各作動アセンブリ３５及びそれぞれの反作動アセンブリ３６は、パッケージ２を形成するためにチューブ３を形状し、横方向に密封し、必須ではないが好ましくは横方向に切断するように構成される。
【００５４】
更に詳細には、各作動アセンブリ３５及びそれぞれの反作動アセンブリ３６は、それぞれの搬送経路のそれぞれの作動部に沿って前進する時に、チューブ３からそれぞれのパッケージ２を形成するために互いに協働するように適合される。具体的にはそれぞれの作動部に沿って前進する間、各作動アセンブリ３５及びそれぞれの反作動アセンブリ３６は、チューブ３に平行にチューブ３と同じ方向に前進する。
【００５５】
尚より詳細には、各作動アセンブリ３５及びそれぞれの反作動アセンブリ３６は、それぞれの搬送経路のそれぞれの作動部に沿って前進する時に、チューブ３に接触するように構成される。具体的には、各作動アセンブリ３５及びそれぞれの反作動アセンブリ３６は、（固定した）ヒット位置でチューブ３と接触を開始するように構成される。
【００５６】
より具体的には、各作動アセンブリ３５及び反作動アセンブリ３６は、
−チューブ３に接触し、パッケージ２の形状を少なくとも部分的に画定するように適合された半殻３７と、
−横方向密封部６を獲得するために、隣接したパッケージ２の間に公知の手法でチューブ３を横方向に密封するように適合された、密封要素３８又は反密封要素３９の一方と、
−必須ではないが好ましくは、そのように公知の手法で隣接したパッケージ２の間、具体的にはそれぞれの横方向密封部６の間でチューブ３を横方向に切断するために、切断要素（示されておらず、そのように公知である）又は反切断要素（示されておらず、そのように公知である）の一方とを含む。
【００５７】
具体的には、各半殻３７は、駆動アセンブリ（図示せず）を用いて動作位置と静止位置との間で制御されるように適合される。具体的には、各半殻３７は、動作位置に入って制御されるように適合され、それぞれの作動アセンブリ３５又はそれぞれの反作動アセンブリ３６は、使用時にそれぞれの作動部に沿って前進する。
【００５８】
必須ではないが好ましくは、充填デバイス１４は、ヒット位置から（経路Ｑに対して）上流方向へのチューブ３内に存在する注入可能な製品の列の延在が５００ｍｍ未満であるように、注入可能な製品を、具体的には充填パイプ３１を通ってチューブ３の中に向けるように構成される。尚より好ましくは、ヒット位置から上流方向への注入可能な製品の列の延在は、約１００ｍｍ〜５００ｍｍの範囲内にあるべきである。
【００５９】
図１及び２を具体的に参照すると、隔離室１０は、経路Ｑに沿って前進中にチューブ３が隔離室１０から出ることができるための出口開口４３を含む。具体的には、出口開口４３は、経路Ｑに沿ってチューブ形成ステーション９の下流に配置される。
【００６０】
必須ではないが好ましくは、出口開口４３は、隔離室１０の下流（端）部の領域に配置される。
【００６１】
必須ではないが好ましくは、隔離室１０は、出口開口４３の反対側に、（殺菌）ウェブ４を隔離室１０に入れることができるように構成された入口開口も含む。具体的には、入口開口は、隔離室１０の上流部に位置付けられる。
【００６２】
開示された好ましい非限定実施形態によれば、隔離室１０は、内部環境１１を区切る筐体４５（図１及び２に概略的のみに示されている）を含む（すなわち筐体４５は内部環境１１を外部環境１２から分離する）。
【００６３】
必須ではないが好ましくは、筐体４５は少なくとも出口開口４３、及び具体的には入口開口も含む。
【００６４】
好ましい非限定実施形態によれば、隔離室１０は、使用時に前進するチューブ３と協働する出口開口４３を使用時に密封するように構成された、少なくとも１つの（下流）密封アセンブリを含む。具体的には、（下流）密封アセンブリは、隔離室１０の外側から（すなわち外部環境１２から）出口開口４３を通って隔離室１０の中に気体が入るのを少なくとも部分的に妨げる、具体的には（実質的に）妨害するように構成される。換言すると、（下流）密封アセンブリは、外部環境１２から内部環境１１の中に気体が流れるのを少なくとも部分的に妨害するように構成される。
【００６５】
必須ではないが好ましくは、（下流）密封アセンブリは、少なくとも１つの密封要素、具体的には使用時に前進するチューブ３、及び具体的にはガスケット４６を運び、出口開口４３の領域内で筐体４５に結合されるキャリア構造（図示せず）とも相互作用し、具体的には接触するように構成された、少なくとも１つのガスケット４６を含む。
【００６６】
開示された好ましい非限定実施形態によれば、内部環境１１は、所与の圧力で殺菌気体、具体的には殺菌空気を含む（すなわち含有する）。必須ではないが好ましくは、所与の圧力は、あらゆる汚染物質及び／又は汚濁物が内部環境１１に入る危険性を低減するために周囲圧力よりわずかに高い。具体的には、所与の圧力は、周囲圧力より約１００Ｐａ〜５００Ｐａ（０．００１ｂａｒ〜０．００５ｂａｒ）高い。
【００６７】
必須ではないが好ましくは、パッケージ装置１は、殺菌気体、具体的には殺菌空気を隔離室１０、具体的には内部環境１１の中に少なくとも送り込むように構成された加圧デバイス４７（開示された本発明を理解するために必要な程度に一部のみが示されている）を含む。
【００６８】
本発明によれば、且つ図２を具体的に参照すると、パッケージ装置１は、使用時にチューブ３内に置かれ、使用時にチューブ３を第１の空間４９と第２の空間５０に分割するように設計された区切り要素４８も含む。
【００６９】
好都合なことに、区切り要素４８は隔離室１０内に配置される。
【００７０】
例えばパッケージ形成ユニット１５内に区切り要素４８を置くことと比較すると、区切り要素４８の配置は、以下の理由で好ましい。チューブ３は内部環境１１、好ましくは殺菌内部環境１１の少なくとも一部の内部、及び典型的には殺菌環境を含まないパッケージ形成ユニット１５の少なくとも一部の内部に延在することが公知である。区切り要素４８は隔離室１０内に配置されるので、区切り要素４８の領域内でチューブ３及び／又は継ぎ目部２３が崩れた（一体性が失われた）場合、最悪の場合に非殺菌（汚染された）気体ではなく殺菌気体が、チューブ３及び／又は充填パイプ３１及び／又は区切り要素４８及び／又は気体供給パイプ５５の内側に接触するはずである。換言すると、チューブ３内で一体性が失われた（例えば穴が生じた）場合、区切り要素４８付近で気体の流れはチューブ３の中に入ることがある。区切り要素４８は隔離室１０内に配置されているので、この気体は殺菌気体であるはずであり、従ってパッケージ形成ユニット１５内に配置される区切り要素４８と同じことが起きた場合に生じるはずであることと対照的に、汚染のいかなる可能性も回避する。後者の場合、パッケージ形成ユニット１５内からチューブ３に気体が入った後に、定置殺菌ステップが必要であるはずである。
【００７１】
好ましい非限定実施形態によれば、区切り要素４８は、チューブ前進経路Ｑに沿って出口開口４３の上流に配置される。
【００７２】
より詳細には、第１の空間４９は、チューブ３、具体的にはチューブ３の壁及び区切り要素４８によって区切られる。更に第１の空間４９は、内部環境１１に開く。尚より具体的には、区切り要素４８は、第１の空間４９自体の（経路Ｑに対して）下流部で、具体的には底部で第１の空間４９を区切る。
【００７３】
より詳細には、第２の空間５０は、使用時にチューブ３、具体的にはチューブ３の壁、区切り要素４８及び（形成される）１つのそれぞれのパッケージ２の横方向密封部６によって区切られる。
【００７４】
換言すると、第２の空間５０は、区切り要素４８から横方向密封部６まで経路Ｑに平行な（すなわち軸Ｌに平行な）方向に延在する。
【００７５】
尚換言すると、区切り要素４８は、第２の空間５０自体の（経路Ｑに対して）上流部で、具体的には上部で第２の空間５０を区切り、横方向密封部６は、第２の空間５０自体の（経路Ｑに対して）下流部で、具体的には底部で第２の空間５０を区切る。
【００７６】
更に詳細には、第１の空間４９は、チューブ前進経路Ｑに沿って第２の空間５０の上流に配置される。尚より具体的には、第１の空間４９は、経路Ｑに沿って区切り要素４８の上流に配置され、第２の空間５０は、経路Ｑに沿って区切り要素４８の下流に配置される。示された具体例では、第２の空間５０は、第１の空間４９の下に置かれている。
【００７７】
開示された好ましい非限定実施形態によれば、加圧デバイス４７は、第１の空間４９内の気体圧力より高い第２の空間５０内の気体圧力を獲得するために、使用時に殺菌気体の流れを第２の空間５０の中に向ける、具体的には連続して向けるようにも適合される（構成される）。
【００７８】
具体的には、以下の記載から明らかになるように、第２の空間５０はチューブ３内の高圧帯域を画定し、第１の空間４９はチューブ３内の低圧帯域を画定する。
【００７９】
本出願の概念では、高圧帯域は、内圧が周囲圧力より約５ｋＰａ〜４０ｋＰａ（０．０５ｂａｒ〜０．４０ｂａｒ）、具体的には約１０ｋＰａ〜３０ｋＰａ（０．１０ｂａｒ〜０．３０ｂａｒ）高い範囲にある（すなわち第２の空間５０内の圧力は、周囲圧力より約５ｋＰａ〜４０ｋＰａ（０．０５ｂａｒ〜０．４０ｂａｒ）、具体的には約１０ｋＰａ〜３０ｋＰａ（０．１０ｂａｒ〜０．３０ｂａｒ）高い範囲にある）ように理解するべきである。換言すると、第２の空間５０は過剰に加圧される。
【００８０】
低圧帯域は、圧力が周囲圧力よりわずかに高いように理解するべきである。具体的には、周囲圧力よりわずかだけ高いとは、圧力が、好ましくは周囲圧力より１００Ｐａ〜５００Ｐａ（０．００１ｂａｒ〜０．００５ｂａｒ）高い範囲にあることを意味する。
【００８１】
必須ではないが好ましくは、第１の空間４９は、内部環境１１と（直接）流体連結する。従って第１の空間４９内にある殺菌気体は、内部環境１１に流れることができる。
【００８２】
具体的には、チューブ３（及びその中間体）は、少なくとも一部が隔離室１０内（具体的には内部環境１１内）にある。
【００８３】
好ましくは、第１の空間４９の内側の圧力は、隔離室１０内、具体的には内部環境１１内に存在する所与の圧力に（実質的に）等しい。換言すると、好ましくは第１の空間４９の内側の圧力は、周囲圧力より１００Ｐａ〜５００Ｐａ（０．００１ｂａｒ〜０．００５ｂａｒ）高い範囲である。
【００８４】
より具体的には、区切り要素４８は、使用時に経路Ｑに沿って上述の初期基準の下流に配置される。換言すると、区切り要素４８は、そこから継ぎ目部２３が（経路Ｑに対して）下流方向に沿って延在する点より下に位置付けられる。尚換言すると、区切り要素４８は、そこから第１の縁部１６及び第２の縁部１７が継ぎ目部２３を形成するために重ね合わせられる位置より下に配置される。
【００８５】
更に詳細には、第２の空間５０は、区切り要素４８及びそれぞれのパッケージ２のそれぞれの横方向密封部６によって区切られ、具体的には横方向密封部６は、使用時に区切り要素４８の下流に置かれる。
【００８６】
更に使用時に、充填デバイス１４、具体的には充填パイプ３１は、注入可能な製品を第２の空間５０の中に向けるように適合される（構成される）。従って使用時に第２の空間５０は、注入可能な製品及び加圧された殺菌気体を含有する。加圧された殺菌気体は、パッケージ２を正確に形成するために必要な、求められた静浮力を提供する（すなわち換言すると、殺菌気体は注入可能な製品の列の効果をチューブ３内に置換する）。
【００８７】
必須ではないが好ましくは、区切り要素４８は、第２の空間５０を第１の空間４９と流体連結して、使用時に第２の空間５０から第１の空間４９に殺菌気体の漏れ流れを可能にするために、使用時に少なくとも１つの流体チャネル５１を具体的には環状形状を有して提供するように設計される。具体的には使用時に、殺菌気体は、第２の空間５０（高圧帯域）から流体チャネル５１を通って第１の空間４９（低圧帯域）に漏れる。流体チャネル５１を提供することによって、第２の空間５０内の気体圧力を正確に増加した状態に制御することができる。
【００８８】
必須ではないが好ましくは使用時に、区切り要素４８は、使用時に流体チャネル５１がチューブ３の内表面と区切り要素４８、具体的には区切り要素４８の外周部５２との間の隙間によって提供されるように設計される。
【００８９】
別法として又は追加として、区切り要素４８は、第１の空間４９と第２の空間５０との間の流体連結を可能にするために、１つ又は複数の経路を含むことができる。
【００９０】
必須ではないが好ましくは、区切り要素４８は、使用時に流体チャネル５１が外周部５２及び使用時に前進するチューブ３の内表面によって区切られるように配置される。換言すると使用時に、区切り要素４８及びチューブ３の内表面は互いに接触しない。従って区切り要素４８とチューブ３との間の相互作用に起因して起きる区切り要素４８の摩耗はない。同様に、区切り要素４８は使用時にチューブ３の内表面を損傷しない。
【００９１】
更に詳細には、区切り要素４８は、チューブ３の内径より小さい半径方向延在部を有する。必須ではないが好ましくは、型の変更によりチューブ３の内径が変化する場合、区切り要素４８は、新しい区切り要素４８に置換することができる。
【００９２】
示された具体的な場合では、区切り要素４８は湾曲した外部輪郭を有する。別法として、実質的に真っ直ぐな形状を有する、又は真っ直ぐな中心部及び湾曲した外周部を有するなどの、区切り要素４８の他の構成を選択することが可能である。
【００９３】
必須ではないが好ましくは、加圧デバイス４７は、様々な流量において第２の空間５０内の気体圧力を実質的に一定に維持することにより、殺菌気体の流れを変えることができるように構成される（すなわち変化する流量を制御するように適合される）。
【００９４】
具体的には、加圧デバイス４７は、約１０〜２００Ｎｍ３／ｈ、具体的には２０〜１８０Ｎｍ３／ｈ、尚より具体的には約２５〜１５０Ｎｍ３／ｈの殺菌気体の流れを変えることができるように構成される。
【００９５】
必須ではないが好ましくは、加圧デバイス４７は、第２の空間５０から第１の空間４９に、具体的には少なくとも流体チャネル５１を通って流れる殺菌気体に依存して、殺菌気体の流れを変えるように適合される。加圧デバイス４７のこのような構成は、直径（言い換えれば半径）が使用時に、具体的には第１の縁部１６及び第２の縁部１７の重なりの延在部の若干の変化に起因してわずかに変動する意味で、チューブ３が使用時にわずかに変動する際に好都合である。これもやはり、流体チャネル５１の大きさの変動、及びその結果として第２の空間５０から流体チャネル５１を通って第１の空間４９に流れる殺菌気体の量の変動をもたらす。
【００９６】
換言すると、第２の空間５０から第１の空間４９に、具体的には流体チャネル５１を通って通過する殺菌気体の量に依存して、加圧デバイス４７は、第２の空間５０に入る殺菌気体の流れを制御し、同時に第２の空間５０内の圧力を実質的に一定に維持するように構成される。
【００９７】
必須ではないが好ましくは、加圧デバイス４７は、第２の空間５０から第１の空間４９への殺菌気体の損失が高くなると、第２の空間５０に入る殺菌気体の流れが増加し、第２の空間５０内の圧力を実質的に一定に維持することによって補償されるように（及びその結果として、第２の空間５０から第１の空間４９への殺菌気体の損失が低減すると、第２の空間５０内の圧力を実質的に一定に維持することにより、第２の空間５０に入る殺菌気体の流れが低減することによって補償されるように）構成される。
【００９８】
必須ではないが好ましくは、加圧デバイス４７は、周囲圧力より５ｋＰａ〜４０ｋＰａ（０．０５ｂａｒ〜０．４０ｂａｒ）、具体的には１０ｋＰａ〜３０ｋＰａ（０．１０ｂａｒ〜０．３０ｂａｒ）高い範囲に第２の空間５０内の気体圧力を制御するように適合される（構成される）。
【００９９】
必須ではないが好都合なことに、加圧デバイス４７は、内部環境１１から第２の空間５０に入って内部環境１１に戻る、閉鎖した殺菌気体の循環を含む。これにより、装置１の構成全体を、具体的には殺菌気体の制御及び供給に関して単純化することができる。
【０１００】
開示された好ましい非限定実施形態によれば、加圧デバイス４７は、殺菌気体を加圧し（圧縮し）、加圧された（圧縮された）殺菌気体を第２の空間５０の中に向けるために、内部環境１１から殺菌気体を引き出すように適合される。
【０１０１】
必須ではないが好ましくは、加圧デバイス４７は、
−殺菌気体を加圧し（圧縮し）、加圧された殺菌気体を第２の空間５０の中に向けるために、内部環境１１から殺菌気体を引き出すように構成された、少なくとも１つのポンプデバイス５３と、
−ポンプデバイス５３の作動を制御するように適合された、少なくとも１つの制御ユニット５４とを含む。
【０１０２】
必須ではないが好ましくは、ポンプデバイス５３は、回転機械、尚より具体的には圧縮機である。
【０１０３】
必須ではないが好ましくは、回転機械、具体的には圧縮機は、高い回転速度で作動するように構成される。より具体的には、回転機械、具体的には圧縮機は、１００００〜１０００００ｒｐｍ、具体的には２００００〜８００００ｒｐｍ、尚より具体的には３００００〜６００００ｒｐｍの範囲の回転速度で作動するように構成される。
【０１０４】
より詳細には、制御ユニット５４は、ポンプデバイス５３、具体的には回転機械、尚より具体的には圧縮機の作動パラメータの少なくとも１つを、ウェブ４の前進速度、及び／又はチューブ３の前進速度（どちらの前進速度も等しい）、及び／又は形成されるパッケージ２の型若しくは形状、及び／又は形成されるパッケージ２の容積の少なくとも１つの関数として制御するように適合される（構成される）。
【０１０５】
好ましくは、且つ図３を具体的に参照すると、回転機械、具体的には圧縮機は、回転速度が増加するにつれて提供される圧力が増加するように構成される。
【０１０６】
図３は、ｆ１、ｆ２及びｆ３として示された３つの異なる回転速度における「圧力に対する殺菌気体の流れ」の曲線の３例を例示し、ｆ１はｆ２より小さく、ｆ２はｆ３より小さい。
【０１０７】
必須ではないが好ましくは、回転機械、具体的には圧縮機は、第２の空間５０内の気体圧力を実質的に一定に維持することにより、具体的には第２の空間５０から（流体チャネル５１を通って）第１の空間４９に流れる気体の関数として、殺菌気体の流れを変えることができるように構成される。
【０１０８】
図３の３例の「圧力に対する殺菌気体の流れ」の曲線は、曲線が実質的に平坦な輪郭を有することを示す。これは、殺菌気体の流れの変化が、回転機械、具体的には圧縮機によって提供された圧力に実質的に影響を及ぼさないことを意味する。
【０１０９】
必須ではないが好ましくは、加圧デバイス４７は、殺菌気体を内部環境１１から第２の空間５０の中に向けるために、内部環境１１及び第２の空間５０を少なくとも間接的に流体連結する、気体供給パイプ５５を含む。具体的には、気体供給パイプ５５は、第２の空間５０と直接流体連結される。必須ではないが好ましくは、気体供給パイプ５５は、ポンプデバイス５３、具体的には回転機械、尚より具体的には圧縮機と少なくとも間接的に連結される。
【０１１０】
より詳細には、気体供給パイプ５５は、少なくとも主部５６を含み、主部５６は、使用時にチューブ３内に延在する。具体的には、主部５６は主パイプ部３２に平行に、必須ではないが好ましくは同軸に延在する。
【０１１１】
示された具体例では、充填パイプ３１は、少なくとも一部が気体供給パイプ５５内に延在する。別法として、気体供給パイプ５５は、少なくとも一部が充填パイプ３１内に延在することが可能である。
【０１１２】
より詳細には、少なくとも主パイプ部３２は、少なくとも一部が主部５６内に延在する。
【０１１３】
具体的には、主パイプ部３２の断面直径は、主部５６の断面直径より小さい。
【０１１４】
必須ではないが好ましくは、気体供給パイプ５５及び充填パイプ３１は、殺菌気体を第２の空間５０の中に送り込むための環状導チューブ５７を画定する／区切る。具体的には、環状導チューブ５７は、気体供給パイプ５５の内表面及び充填パイプ３１の外表面によって区切られる。
【０１１５】
換言すると使用時に、殺菌気体は、環状導チューブ５７を通って第２の空間５０の中に向けられる。
【０１１６】
加圧デバイス４７は、
−ポンプデバイス５３、具体的には回転機械、尚より具体的には圧縮機及び気体供給パイプ５５と直接流体連結する、気体導チューブ５８と、
−内部環境１１及びポンプデバイス５３、具体的には回転機械、尚より具体的には圧縮機と直接流体連結する、気体導チューブ５９も含む。
【０１１７】
従って使用時に、殺菌気体は内部環境１１から気体導チューブ５９を通って引き出され、次いでポンプデバイス５３、具体的には回転機械、尚より具体的には圧縮機によって加圧され（圧縮され）、次いで気体導チューブ５８及び気体供給パイプ５５を通って第２の空間５０の中に向けられる。
【０１１８】
必須ではないが好ましくは、区切り要素４８は、充填パイプ３１及び／又は気体供給パイプ５５の少なくとも一部に取り外し可能に連結される。具体的には、区切り要素４８は、充填パイプ３１及び／又は気体供給パイプ５５の少なくとも一部に浮動して（すなわち遊びを有して）連結される。具体的には、浮動してとは、区切り要素４８が少なくとも軸Ｍ（及び軸Ｌ）に平行に、及び／又は横方向に（わずかに）動くように適合されることを意味する。換言すると、区切り要素４８は、使用時に前進するチューブ３に平行に、及び／又は横方向に（わずかに）動くように適合される。
【０１１９】
図１及び２に示された具体的な場合では、区切り要素４８は、気体供給パイプ５５に取り外し可能に連結される。
【０１２０】
使用時にパッケージ装置１は、注入可能な製品で充填したパッケージ２を形成する。具体的には、パッケージ装置１は、ウェブ４から形成されたチューブ３からパッケージ２を形成し、チューブ３は注入可能な製品で連続して充填される。
【０１２１】
より詳細には、パッケージ装置１の作動は、
−経路Ｐに沿ってウェブ４を前進させるための第１の前進ステップと、
−ウェブ４がチューブ３に形成され、チューブ３が長手方向に、具体的には継ぎ目部２３に沿って密封される間のチューブ形成及び密封ステップと、
−チューブ３が経路Ｑに沿って前進される間の第２の前進ステップと、
−注入可能な製品がチューブ３の中に充填される間の充填ステップと、
−パッケージ２がチューブ３から、具体的にはチューブ３（のそれぞれの（下）部分）を形状し、チューブ３を横方向に密封して切断することによって形成される間のパッケージ形成ステップとを含む。
【０１２２】
更に詳細には、チューブ形成及び密封ステップは、継ぎ目部２３を形成するために第１の縁部１６及び第２の縁部１７を互いに徐々に重ねるサブステップ、並びにチューブ３、具体的には継ぎ目部２３を長手方向に密封するサブステップを含む。
【０１２３】
充填ステップは、注入可能な製品を充填パイプ３１を通って第２の空間４８の中に向けるサブステップを含む。
【０１２４】
パッケージ形成ステップの間、パッケージ２は、チューブ形成及び密封ステップの後にチューブ３を受領するパッケージ形成ユニット１５の作動によって形成される。具体的にはパッケージ形成ステップの間、作動アセンブリ３５及び反作動アセンブリ３６は、各々の搬送経路に沿って前進される。作動アセンブリ３５及び各々の反作動アセンブリ３６が各々の作動部に沿って前進する時、作動アセンブリ３５及びそれぞれの反作動アセンブリ３６は、パッケージ２を形成するように前進するチューブ３を形状し、横方向に密封し、必須ではないが好ましくは横方向に切断するために互いに協働する。パッケージ形成ステップの間、注入可能な製品は、充填されたパッケージ２を獲得するように、第２の空間５０の中に連続して向けられる。
【０１２５】
パッケージ装置１の作動は、殺菌気体、具体的には加圧された（圧縮された）殺菌気体が第２の空間５０の中に向けられる、具体的には連続して向けられる間に加圧ステップも含む。
【０１２６】
より詳細には加圧ステップの間、殺菌気体は、周囲圧力より５ｋＰａ〜４０ｋＰａ（０．０５ｂａｒ〜０．４０ｂａｒ）、具体的には１０ｋＰａ〜３０ｋＰａ（０．１０ｂａｒ〜０．３０ｂａｒ）高い範囲の気体圧力を第２の空間５０内で獲得するために、第２の空間５０の中に向けられ、具体的には連続して向けられる。
【０１２７】
具体的には、第２の空間５０は、注入可能な製品及び加圧された殺菌気体を含有する。
【０１２８】
必須ではないが好ましくは、加圧ステップの間、殺菌気体の漏れ流れは、第２の空間５０から第１の空間４９に確立される。具体的には殺菌気体は、第２の空間５０から流体チャネル５１を通って第１の空間４９に流れる。
【０１２９】
好ましい非限定実施形態によれば、加圧ステップの間、殺菌気体は、隔離室１０から、具体的には内部環境１１から引き出され、加圧され（圧縮され）、次いで第２の空間５０の中に向けられ、具体的には連続して向けられる。
【０１３０】
尚更に詳細には加圧ステップの間、ポンプデバイス５３、具体的には回転機械、尚より具体的には圧縮機は、隔離室１０から、具体的には内部環境１１から殺菌気体を引き出し、殺菌気体を加圧し（圧縮し）、加圧された（圧縮された）気体を気体供給パイプ５５を通って第２の空間５０の中に向ける。
【０１３１】
加圧ステップの間、ポンプデバイス５３の作動パラメータは、ウェブ４の前進速度、及び／又はチューブ３の前進速度、及び／又は形成されるパッケージの型、及び／又は形状、及び／又は形成されるパッケージの容積の少なくとも１つの関数で制御ユニット５４によって制御される。
【０１３２】
より詳細には、制御ユニット５４は、回転機械、具体的には圧縮機の回転速度をパッケージ材料のウェブの前進速度、及び／又はチューブの前進速度、及び／又は形成されるパッケージの型、及び／又は形状、及び／又は形成されるパッケージの容積の少なくとも１つの関数として制御する。
【０１３３】
本発明によるパッケージ装置１の利点は、前記から明らかになろう。
【０１３４】
具体的には区切り要素４８は、高圧の第２の空間５０及び低圧の第１の空間４９を獲得することができる。第２の空間５０内の加圧された殺菌気体は、パッケージ２を正確に形成するために必要な静水圧を獲得するために注入可能な製品の列の作用を置換する。これにより、延在部、具体的には隔離室１０の垂直延在部を低減することができる。更に、区切り要素４８の領域内でチューブ３及び／又は継ぎ目部２３が崩れる稀な場合、最悪の場合に汚染された気体ではなく殺菌気体が、チューブ３及び／又は充填パイプ３１及び／又は区切り要素４８及び／又は気体供給パイプ５５の内側に接触するはずであるように、区切り要素４８を隔離室１０内に配置することが（例えばパッケージ形成ユニット１５内に配置されるのと対照的に）好都合である。
【０１３５】
加えて静水圧は注入可能な製品の列ではなく殺菌気体によって獲得されるので、型を変える場合又は生産速度を変える場合に、パッケージ装置１に付与する必要がある修正作業は最小であり、静水圧が注入可能な製品の列を用いて獲得される装置に対するより、必要とする時間はかなり少ない。
【０１３６】
更なる利点は、第２の空間５０から第１の空間４９への殺菌気体の漏れ流れに起因して、第２の空間５０内の気体圧力を正確に制御できることにある。具体的には、第２の空間５０から第１の空間４９への殺菌気体の漏れ流れは、経時的に圧力の急勾配が進む危険性を低減することができる。
【０１３７】
尚更なる利点は、流体チャネル５１がチューブ３の内表面と区切り要素４８との間の隙間によって提供されるように、区切り要素４８の設計を提供することにある。このように区切り要素４８とチューブ３の内表面との間に接触はない。従って区切り要素４８は、チューブ３の内表面を損傷しない。同様に、破片粒子がパッケージ２に入る危険性は大幅に制限される。
【０１３８】
尚更なる利点は、第２の空間５０の中に向けられた殺菌気体が内部環境１１から出るという事実にある。このように追加の殺菌気体源は必要なく、装置１の設計及び殺菌気体の流れの制御を単純化する。
【０１３９】
しかし明らかに添付の特許請求の範囲に定義されたような保護の範囲から逸脱することなく、本明細書に記載されたようなパッケージ装置１に変更がなされてもよい。
【０１４０】
示されていない代替実施形態では、充填パイプ及び気体供給パイプは互いから離間し、且つ互いに平行に配置することができる。
【０１４１】
示されていない更なる代替実施形態では、区切り要素は、使用時にチューブ３の内表面に当接するように設計することができ、区切り要素は、少なくとも１つの流体チャネルが第２の空間を第１の空間と流体連結させることができるために、１つ又は複数の孔を備えることができる。
【図１】
2022500324.tif 000003
【図２】
2022500324.tif 000004
【図３】
2022500324.tif 000005
【国際調査報告】
2022500324.tif 000006
2022500324.tif 000007